【事件の表示】
　特願２００３−１０３６３９「超音波プローブユニット及び超音波診断装置」拒絶査定不服審判事件〔平成１６年１１月　４日出願公開、特開２００４−３０５４５１〕について、次のとおり審決する。
【結　論】
　本件審判の請求は、成り立たない。
【理　由】
第１　手続の経緯 
本願は、平成１５年４月８日を出願日とする特許出願であって、平成２０年１０月３０日付けで拒絶理由が通知され、平成２１年１月５日付けで手続補正がなされたが、同年３月３０日付けで最後の拒絶理由が通知され、同年７月１日付けで拒絶査定がなされ、これに対し、同年１０月８日に拒絶査定不服審判の請求がなされるとともに、同日付けで手続補正（以下、「本件補正」という。）がなされたものである。
　さらに、平成２２年６月１５日付けで審尋がなされ、回答書が同年８月１３日付けで請求人より提出されたものである。
　 
第２　本件補正についての補正の却下の決定　 
［補正の却下の決定の結論］　 
　平成２１年１０月８日付け手続補正を却下する。　 
　　 
［理由］　 
１　補正後の本願発明　 
　本件補正により、特許請求の範囲の請求項１は、
「【請求項１】　
下記（ａ）乃至（ｐ）の各構成を備えた超音波プローブユニット。（ａ）走査部と、手で持つための把持部とに区分されたケースによって外観が形成されている。（ｂ）前記走査部は、その内部に、探触子とロータ部が内蔵されている。（ｃ）前記ロータ部には、モータが組み込まれており、そのモータの駆動力をもって当該ロータ部とともに前記探触子が回転駆動される。（ｄ）前記走査部の外面は、先端部が略半球形状をしたキャップによって覆われていて、その空間には低粘性のオイルが満たされている。（ｅ）前記把持部は、超音波送受信部と、モータ制御回路と、超音波受信信号転送用のインターフェースとを備える。（ｆ）前記超音波送受信部は、送受切替回路と、受信回路と、送信回路とで構成されている。（ｇ）前記超音波受信信号転送用のインターフェースは、Ａ／Ｄコンバータと、Ｉ／Ｆ回路とで構成されている。（ｈ）前記送信回路は、前記探触子を駆動するためのパルスを発生させる回路で、パルス発生回路と、トリガ回路とで構成されている。（ｉ）前記トリガ回路は、前記モータの回転に同期してトリガ信号を生成する。（ｊ）前記パルス発生回路は、前記トリガ回路からのトリガ信号に応答してパルスを生成し、そのパルスが前記送受切替部を経由して前記探触子に供給される。（ｋ）前記モータは、前記モータ制御回路によって制御されて、前記探触子を所定の速度で回転させる。（ｌ）前記送受切替回路は、前記探触子と前記受信回路又は前記送信回路との間で信号の授受を行うために信号経路を切り替える。（ｍ）前記受信回路は、受信した反射信号を増幅するプリアンプと、このプリアンプにより増幅された信号を対数変換するログアンプと、当該信号の包絡線検波を行う検波回路とを含んでいる。（ｎ）前記Ａ／Ｄコンバータは、前記検波回路により検波されたアナログ信号をデジタル信号に変換する。（ｏ）前記Ｉ／Ｆ回路は、Ａ／Ｄコンバータにより変換されたデジタル信号を出力する。（ｐ）前記探触子は、前記送信回路から供給されたパルスによって駆動し、外部に向けて超音波を発信する。
から
「【請求項１】　下記（ａ）乃至（ｐ）の各構成を備えた超音波プローブユニット。
（ａ）走査部と、手で持つための把持部とに区分されたケースによって外観が形成されている。
（ｂ）前記走査部は、その内部に、探触子とロータ部が内蔵されている。
（ｃ）前記ロータ部には、モータが組み込まれており、そのモータの駆動力をもって当該ロータ部とともに前記探触子が回転駆動される。
（ｄ）前記走査部の外面は、先端部が略半球形状をしたキャップによって覆われていて、その空間には低粘性のオイルが満たされている。
（ｅ）前記把持部は、超音波送受信部と、モータ制御回路と、超音波受信信号転送用のインターフェースとを備える。
（ｆ）前記超音波送受信部は、送受切替回路と、受信回路と、送信回路とで構成されている。
（ｇ）前記超音波受信信号転送用のインターフェースは、Ａ／Ｄコンバータと、
ＵＳＢ規格の
（ｈ）前記送信回路は、前記探触子を駆動するためのパルスを発生させる回路で、パルス発生回路と、トリガ回路とで構成されている。
（ｉ）前記トリガ回路は、前記モータの回転に同期してトリガ信号を生成する。
（ｊ）前記パルス発生回路は、前記トリガ回路からのトリガ信号に応答してパルスを生成し、そのパルスが前記送受切替部を経由して前記探触子に供給される。
（ｋ）前記モータは、前記モータ制御回路によって制御されて、前記探触子を所定の速度で回転させる。
（ｌ）前記送受切替回路は、前記探触子と前記受信回路又は前記送信回路との間で信号の授受を行うために信号経路を切り替える。
（ｍ）前記受信回路は、受信した反射信号を増幅するプリアンプと、このプリアンプにより増幅された信号を対数変換するログアンプと、当該信号の包絡線検波を行う検波回路とを含んでいる。
（ｎ）前記Ａ／Ｄコンバータは、前記検波回路により検波されたアナログ信号をデジタル信号に変換する。
（ｏ）前記Ｉ／Ｆ回路は、Ａ／Ｄコンバータにより変換されたデジタル信号を出力する
とともに、電力の供給を受けることができる。
と補正された。（下線は補正箇所を示す。）　 
　
　上記本件補正は、補正前の請求項１に係る発明を特定するために必要な事項である「Ｉ／Ｆ回路」を「
ＵＳＢ規格の
前記Ｉ／Ｆ回路は、Ａ／Ｄコンバータにより変換されたデジタル信号を出力する。
とともに、電力の供給を受けることができる。
　したがって、本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで、本件補正後の前記請求項１に係る発明（以下「補正発明」という。）が、特許出願の際独立して特許を受けることができるものであるか（平成１８年法改正前の特許法第１７条の２第５項において準用する同法第１２６条第５項の規定に適合するか）について以下に検討する。
　
２　引用刊行物およびその記載事項（下線は当審で付与した。）　 
（１）本願出願前に頒布され、原査定の拒絶の理由に引用された刊行物である特開平５−１６１６４１号公報（以下、「刊行物１」という。）には、「超音波診断装置」について、図面とともに次の事項が記載されている。
　
（１−ア）　「【０００１】
【産業上の利用分野】本発明は医用超音波診断装置に係り、とくに聴診器がわりに医師が持ち運ぶハンディータイプの超音波診断装置に係る。」
　
（１−イ）　「【００１４】
【作用】超音波探触子内に振動子アレーの他に、必要に応じて送受波回路、受波増幅回路、受波整相回路、制御回路等の電子回路を集積し、それぞれの診断目的に対応した超音波探触子の超音波の走査方式の種類にたいし専用の本体装置を設けるので、超音波探触子及びこれに対応する専用の本体装置の回路規模が小さくなり、ハンディータイプの超音波診断装置を達成できる。」
　
（１−ウ）　「【００２３】図２により、実施例をより詳細に明する。図２では図１と同様に超音波探触子としてリニア電子走査型超音波探触子１Ａとこれに対する本体装置２Ａ、メカニカルセクタ走査型超音波探触子１Ｂとこれに対する本体装置２Ｂを例にとって、超音波探触子と本体装置の構成を示している。・・・
【００２４】・・・
メカニカルセクタ走査型超音波探触子１Ｂの例では、超音波探触子１Ｂは振動子４６と、振動子４６を機械的に走査するための走査機構部４７と、送受波回路２２Ｂと、受波増幅器２４Ｂと、走査機構部４７、送受波回路２２Ｂ、受波増幅器２４Ｂを制御するコントロール部Ａ、２３Ｂとを内蔵している。
本体装置２Ａは、
データ入出力部３０と
から構成される。
　
（１−エ）　「【００２７】本体装置２Ｂはメカニカルセクタ走査型超音波探触子１Ｂからの受波信号データのみを処理、制御するもので、リニア電子走査型超音波探触子１Ａに対する本体装置２Ａとは受波整相回路の有無の点で異なっている。
受波増幅回路２４Ｂからの信号は、
受波増幅回路２４ＢからのＡ／Ｄ変換された信号をそのままデータ入出力部３０で、
　
（１−オ）　図１には、手で持つための把持部に内蔵されているメカニカルセクタ走査型超音波探触子１Ｂの様子が描かれている。
　　 
　そうすると、これらの記載と図面を総合すると、刊行物１には、次の発明が記載されていると認められる。　 
　　 
「手で持つための把持部に内蔵されているメカニカルセクタ走査型超音波探触子１Ｂであって、振動子４６と、振動子４６を機械的に走査するための走査機構部４７と、送受波回路２２Ｂと、受波増幅器２４Ｂと、走査機構部４７、送受波回路２２Ｂ、受波増幅器２４Ｂを制御するコントロール部Ａ、２３Ｂとを内蔵しており、受波増幅回路２４ＢからのＡ／Ｄ変換された信号を本体装置２Ｂへ出力するもの。」（以下、「引用発明」という。）
　
（２）本願出願前に頒布され、原査定の拒絶の理由に引用された刊行物である特開平３−１０６３４９号公報（以下、「刊行物２」という。）には、図面とともに次の事項が記載されている。 　 
　
（２−ア）　 「第１図および第２図は本発明の実施例を示す機械走査形超音波スキャナの側断面図、第３図は第２図中のＡ−Ａ線による正断面図、第４図は第２図中のＢ−Ｂ線による側断面図である。
機械走査形超音波スキャナ５０は、その頂部に超音波を透過する性質を有する略球殻状のキャップ１を配置し、
これらキャップ１，シールドケース２，把持部３．リンク３４によってハウジング４が構威され、スキャナ５０の外形が形成されている。
　
（２−イ）　 「
シールドケース２内には、鉱物油，ひまし油などからなる絶縁性を有した音響伝播媒体２６が充填されており
　
（２−ウ）　図１には、走査部と、手で持つための把持部３とに区分されたケースによって外観が形成されている様子が描かれている。
　
（３）本願出願前に頒布され、原査定の拒絶の理由に引用された引用された刊行物である特開２００２−２９１７４８号公報（以下、「刊行物３」という。）には、図面とともに次の事項が記載されている。 　 
　
（３−ア）　 「【００２６】図１は本発明の一実施例におけるメカニカルセクタ走査型超音波プローブを使用した超音波診断装置の全体を示す概略ブロック図である。
【００２７】実施例の超音波診断装置は超音波プローブと本体システム部から構成される。
超音波プローブの先端には超音波振動子１、２を回転駆動させる駆動モータ３が構成されている。その駆動モータには超音波振動子とともに回転する駆動ロータ４が構成され、
【００２８】
超音波振動子１、２は駆動ロータ４の回転部の外周部に取り付けられている
　
（３−イ）　 「【００３１】
この駆動モータ３は回転数３００ｒ／ｍｉｎから１８００ｒ／ｍｉｎまで数段階に切り換えて回転駆動する。たとえば、エンコーダマグネット１３が３００極の磁極である場合、
超音波振動子１、２の回転角度位置の分解精度を上げるために、Ａ相Ｂ相を４逓倍すれば、１回転あたり１２００パルスとなり、元信号に比べて４倍の分解精度となる。その駆動モータ３の駆動軸と超音波振動子の回転軸が同一軸であるので、ばらつきもなく回転角度精度の良好なものとなり、画像もその信号をトリガーに使用する場合はかなり画質の良い超音波診断画像となる。
　
（３−ウ）　 「【００３８】超音波を生体内に送信する場合には、
まずパルス発生器１９によって超音波パルスの繰り返し周期を決定するレートパルスが出力され、超音波周波数の決まったパルス振動子駆動回路２０に送られる。この振動子駆動回路２０では周波数に相当する超音波振動子に駆動信号を周波数に相当した方のロータリトランス１５を介して、相当した超音波振動子１（または２）に供給駆動されて超音波を発生するため駆動パルスが形成される。その駆動パルスによって超音波振動子１（または２）から生体内に放射される。
送信時に用いた超音波振動子１（または２）によって受信され、
超音波エコーの反射強度に相当な微弱な受信信号はシステム本体３７内の増幅器
にて増幅されたのちＢモード用信号処理回路に送られる。
振動子出力は対数増幅器
で対数圧縮し、包絡線検波用の検波回路
にて検波され、
　
（４）本願出願前に頒布され、原査定の拒絶の理由に引用された刊行物である特開２００１−１２８９８０号公報（以下、「刊行物４」という。）には、図面とともに次の事項が記載されている。 　 
　
（４−ア）　 「【００２０】まず、図２を用いて機械走査式超音波探触子の全体構成を示す。
【００２１】図２において、機械操作式超音波探触子１は、患者の体内に挿入するための挿入部２を、術者が操作するために握る把持部３の前側に取り付けている。
・・・
【００２３】次に、図１を用いて機械走査式超音波探触子１の内部構造について説明する。」
　
（４−イ）　 「【００２５】
把持部３は、回転駆動手段５と回転位置検出手段７とを収納し、
・・・
【００３２】さらに前記
把持部３には、前記超音波トランスデューサ８ａ，８ｂからの超音波信号を増幅するヘッドアンプ１７と前記回転駆動手段５の回転制御を行う制御基板１８が備えられている。
把持部３の後方には
接続コード１９が延出している
　
（５）本願出願前に頒布された刊行物である国際公開２００２／９３５４８（以下、「刊行物５」という。）には、図面とともに次の事項が記載されている。（和訳は、パテントファミリーである、特表２００４−５２７３２５号公報に基づく。） 　 
　
（５−ア）　「　FIG. 5  is a simplified block diagram of an ultrasound imaging system  500  in accordance with the preferred embodiment of the present invention.・・・In accordance with the preferred embodiment, the communication link is a Universal Serial Bus (#USB#) link. USB is an industry standard interface for connecting peripherals to a PC and provides up to 2.5W at 5V to the connected peripheral. 」（１１頁２２行〜１３頁１８行）
 「和訳：【００３８】図５は、本発明の好適な実施形態に従った
超音波画像形成システム５００
・・・
【００４４】・・・本発明の好適な実施形態に従って、
通信リンクは“ＵＳＢ（Universal Serial Bus）”である。ＵＳＢは、ＰＣに周辺機器を接続するための工業規格のインタフェースであり、接続された周辺機器に５Ｖにおいて２．５Ｗ以下を供給する。
　
３　当審の判断　 
（１）対比　 
ア　補正発明と引用発明とを対比すると、その構造・機能からみて、引用発明の「メカニカルセクタ走査型超音波探触子１Ｂ」、「振動子４６」、「走査機構部４７」、および「送受波回路２２Ｂ」は、それぞれ、補正発明の「超音波プローブユニット」、「探触子」、「ロータ部」、および「超音波送受信部」に相当することが明らかである。
　
イ　引用発明では、「メカニカルセクタ走査型超音波探触子１Ｂ」が「手で持つための把持部に内蔵されている」から、
引用発明の、「手で持つための把持部に内蔵されているメカニカルセクタ走査型超音波探触子１Ｂ」と、
補正発明の「（ａ）走査部と、手で持つための把持部とに区分されたケースによって外観が形成されている。
（ｄ）前記走査部の外面は、先端部が略半球形状をしたキャップによって覆われていて、その空間には低粘性のオイルが満たされている。」とは、
「（ａ）走査部と、手で持つための把持部とを有する」点で共通する。
　
ウ　引用発明の、「受波増幅回路２４ＢからのＡ／Ｄ変換された信号を本体装置２Ｂへ出力するもの」と、
補正発明の「（ｅ）前記把持部は、超音波送受信部と、モータ制御回路と、超音波受信信号転送用のインターフェースとを備える。
（ｇ）前記超音波受信信号転送用のインターフェースは、Ａ／Ｄコンバータと、ＵＳＢ規格のＩ／Ｆ回路とで構成されている。
（ｏ）前記Ｉ／Ｆ回路は、Ａ／Ｄコンバータにより変換されたデジタル信号を出力するとともに、電力の供給を受けることができる。」とは、
「（ｅ）超音波送受信部と、モータ制御回路と、Ａ／Ｄコンバータと超音波受信信号転送用回線とを備える。」点で共通する。
　
　そうすると、両者は、
　
（一致点）  
　「　　下記の各構成を備えた超音波プローブユニット。
（ｂ）前記走査部は、その内部に、探触子とロータ部が内蔵されている。
  （ｅ）超音波送受信部と、モータ制御回路と、Ａ／Ｄコンバータと超音波受信信号転送用回線とを備える。
（ｆ）前記超音波送受信部は、送受切替回路と、受信回路と、送信回路とで構成されている。
（ｎ）前記Ａ／Ｄコンバータは、前記検波回路により検波されたアナログ信号をデジタル信号に変換する。」
である点で一致し、以下の点で相違するといえる。　
　
（相違点１）　
　走査部と把持部の外観と、走査部の外面の構成について、補正発明では、「（ａ）走査部と、手で持つための把持部とに区分されたケースによって外観が形成されている。
（ｄ）前記走査部の外面は、先端部が略半球形状をしたキャップによって覆われていて、その空間には低粘性のオイルが満たされている。」のに対して、引用発明では、「走査部と、手で持つための把持部とに区分されたケースによって外観が形成されておらず、走査部の外面の構成およびオイルにつても不明である点。　　 
　
（相違点２）　
　走査部が内蔵しているものと送信回路の構成について、補正発明では、「（ｂ）前記走査部は、その内部に、探触子とロータ部が内蔵されている。
（ｃ）前記ロータ部には、モータが組み込まれており、そのモータの駆動力をもって当該ロータ部とともに前記探触子が回転駆動される。
（ｈ）前記送信回路は、前記探触子を駆動するためのパルスを発生させる回路で、パルス発生回路と、トリガ回路とで構成されている。
（ｉ）前記トリガ回路は、前記モータの回転に同期してトリガ信号を生成する。
（ｊ）前記パルス発生回路は、前記トリガ回路からのトリガ信号に応答してパルスを生成し、そのパルスが前記送受切替部を経由して前記探触子に供給される。
（ｋ）前記モータは、前記モータ制御回路によって制御されて、前記探触子を所定の速度で回転させる。」のに対して、引用発明では、これらの点が不明である点。　　 
　
（相違点３）　
　超音波送受信部と、モータ制御回路と、Ａ／Ｄコンバータと超音波受信信号転送用回線について、補正発明では、これらを「把持部」が備えるのに対して、引用発明では、これらの点が特定されていない点。　　 
　
（相違点４）　
　超音波受信信号転送用回線について、補正発明では、電力の供給を受けることができるＵＳＢ規格のＩ／Ｆ回路とで構成されているのに対して、引用発明では、これらの点が特定されていない点。　　 
　
（相違点５）　
　送受切替回路と受信回路と探触子について、補正発明では、「（ｌ）前記送受切替回路は、前記探触子と前記受信回路又は前記送信回路との間で信号の授受を行うために信号経路を切り替える。
（ｍ）前記受信回路は、受信した反射信号を増幅するプリアンプと、このプリアンプにより増幅された信号を対数変換するログアンプと、当該信号の包絡線検波を行う検波回路とを含んでいる。
（ｐ）前記探触子は、前記送信回路から供給されたパルスによって駆動し、外部に向けて超音波を発信する。」のに対して、引用発明では、これらの点が特定されていない点。
　　
（２）相違点についての判断　 
　まず、相違点１を検討する。
　刊行物２の記載事項である上記（２−ウ）に「図１には、走査部と、手で持つための把持部３とに区分されたケースによって外観が形成されている様子が描かれている。」のであるから、超音波プローブでも走査部と、手で持つための把持部とに区分されたケースによって外観が形成されている構成は刊行物２に記載されている。
  また、同じく刊行物２の記載事項である上記（２−ア）に「機械走査形超音波スキャナ５０は、その頂部に超音波を透過する性質を有する略球殻状のキャップ１を配置し、」「これらキャップ１，シールドケース２，把持部３．リンク３４によってハウジング４が構威され、スキャナ５０の外形が形成されている。」と記載され、（２−イ）に「シールドケース２内には、鉱物油，ひまし油などからなる絶縁性を有した音響伝播媒体２６が充填されており、」と記載されており、「走査部の外面は、先端部が略半球形状をしたキャップによって覆われていて、その空間には低粘性のオイルが満たされている構成」は刊行物２に記載されている。
　してみると、引用発明の走査部と把持部の外観と、走査部の外面の構成として、上記刊行物２の構成を採用して、相違点１における本願発明の構成とすることは、当業者が容易に想到するものといえる。
　
　次に、相違点２を検討する。
　刊行物３の記載事項である上記（３−ア）に「超音波プローブの先端には超音波振動子１、２を回転駆動させる駆動モータ３が構成されている。その駆動モータには超音波振動子とともに回転する駆動ロータ４が構成され、」「超音波振動子１、２は駆動ロータ４の回転部の外周部に取り付けられている。」と記載されており、「（ｂ）前記走査部は、その内部に、探触子とロータ部が内蔵されている。
（ｃ）前記ロータ部には、モータが組み込まれており、そのモータの駆動力をもって当該ロータ部とともに前記探触子が回転駆動される。」構成が刊行物３に記載されている。
　また、同じく刊行物３の記載事項である上記（３−イ）に「この駆動モータ３は回転数３００ｒ／ｍｉｎから１８００ｒ／ｍｉｎまで数段階に切り換えて回転駆動する。たとえば、エンコーダマグネット１３が３００極の磁極である場合、」「超音波振動子１、２の回転角度位置の分解精度を上げるために、Ａ相Ｂ相を４逓倍すれば、１回転あたり１２００パルスとなり、元信号に比べて４倍の分解精度となる。その駆動モータ３の駆動軸と超音波振動子の回転軸が同一軸であるので、ばらつきもなく回転角度精度の良好なものとなり、画像もその信号をトリガーに使用する場合はかなり画質の良い超音波診断画像となる。」と記載されており、「（ｈ）前記送信回路は、前記探触子を駆動するためのパルスを発生させる回路で、パルス発生回路と、トリガ回路とで構成されている。
（ｉ）前記トリガ回路は、前記モータの回転に同期してトリガ信号を生成する。
（ｊ）前記パルス発生回路は、前記トリガ回路からのトリガ信号に応答してパルスを生成し、そのパルスが前記送受切替部を経由して前記探触子に供給される。
（ｋ）前記モータは、前記モータ制御回路によって制御されて、前記探触子を所定の速度で回転させる。」構成が刊行物３に記載されている。
　してみると、引用発明の走査部が内蔵しているものと送信回路の構成として、上記刊行物３の構成を採用して、相違点２における本願発明の構成とすることは、当業者が容易に想到するものといえる。
　
　次に、相違点３を検討する。
　刊行物４の記載事項である上記（４−イ）に「把持部３は、回転駆動手段５と回転位置検出手段７とを収納し、・・・前記超音波トランスデューサ８ａ，８ｂからの超音波信号を増幅するヘッドアンプ１７と前記回転駆動手段５の回転制御を行う制御基板１８が備えられている。把持部３の後方には・・・接続コード１９が延出している。」と記載されており、超音波送受信部と、モータ制御回路と、Ａ／Ｄコンバータと超音波受信信号転送用回線を「把持部」が備えるのものは刊行物４に記載されている。
　してみると、引用発明の把持部の構成として、上記刊行物４の構成を採用して、相違点３における本願発明の構成とすることは、当業者が容易に想到するものといえる。
　
　次に、相違点４を検討する。
　刊行物５の記載事項である上記（５−ア）に「本発明の好適な実施形態に従った超音波画像形成システム・・・本発明の好適な実施形態に従って、通信リンクは“ＵＳＢ（Universal Serial Bus）”である。ＵＳＢは、ＰＣに周辺機器を接続するための工業規格のインタフェースであり、接続された周辺機器に５Ｖにおいて２．５Ｗ以下を供給する。」と記載されているように、「超音波受信信号転送用回線において電力の供給を受けることができるＵＳＢ規格のＩ／Ｆ回路とで構成されているもの」は周知技術である。
　してみると、引用発明の超音波受信信号転送用回線の構成として、上記周知の構成を採用して、相違点４における本願発明の構成とすることは、当業者が容易に想到するものといえる。
　
　次に、相違点５を検討する。
　刊行物３の記載事項である上記（３−ウ）に「まずパルス発生器１９によって超音波パルスの繰り返し周期を決定するレートパルスが出力され、超音波周波数の決まったパルス振動子駆動回路２０に送られる。この振動子駆動回路２０では周波数に相当する超音波振動子に駆動信号を・・・、相当した超音波振動子１（または２）に供給駆動されて超音波を発生するため駆動パルスが形成される。その駆動パルスによって超音波振動子１（または２）から生体内に放射される。・・・送信時に用いた超音波振動子１（または２）によって受信され、この超音波エコーの反射強度に相当な微弱な受信信号はシステム本体３７内の増幅器・・・にて増幅されたのちＢモード用信号処理回路に送られ・・・振動子出力は対数増幅器・・・で対数圧縮し、包絡線検波用の検波回路・・・にて検波され、」と記載されており、「（ｌ）前記送受切替回路は、前記探触子と前記受信回路又は前記送信回路との間で信号の授受を行うために信号経路を切り替える。
（ｍ）前記受信回路は、受信した反射信号を増幅するプリアンプと、このプリアンプにより増幅された信号を対数変換するログアンプと、当該信号の包絡線検波を行う検波回路とを含んでいる。
（ｐ）前記探触子は、前記送信回路から供給されたパルスによって駆動し、外部に向けて超音波を発信する。」を備える送受切替回路と受信回路と探触子の構成は刊行物３に記載されている。
　してみると、引用発明の送受切替回路と受信回路と探触子の構成として、上記刊行物３の構成を採用して、相違点５における本願発明の構成とすることは、当業者が容易に想到するものといえる。
　
　そして、本願明細書に記載された効果も、引用発明および刊行物２〜４記載の事項ならびに周知技術から、当業者が予測し得る範囲のものであり、格別顕著なものといえない。　 
　　 
　したがって、補正発明は、引用発明および刊行物２〜４記載の事項ならびに周知技術に基づいて当業者が容易に発明をすることができたものであるというべきであり、特許法第２９条第２項の規定により、特許出願の際独立して特許を受けることができないものである。　 
　　 
４　まとめ　 
　以上のとおりであるから、本件補正は、平成１８年法改正前の特許法第１７条の２第５項において準用する同法第１２６条第５項の規定に違反するので、同法第１５９条第１項の規定において読み替えて準用する同法第５３条第１項の規定により、却下すべきものである。　
　
第３　本願発明について　 
１　本願発明　 
　本件補正は、上記のとおり却下されることとなるので、本願の請求項１に係る発明は、平成２１年１月５日付け手続補正書により補正された明細書の特許請求の範囲の請求項１に記載された事項により特定された次のとおりであると認める。　 
「【請求項１】　
下記（ａ）乃至（ｐ）の各構成を備えた超音波プローブユニット。（ａ）走査部と、手で持つための把持部とに区分されたケースによって外観が形成されている。（ｂ）前記走査部は、その内部に、探触子とロータ部が内蔵されている。（ｃ）前記ロータ部には、モータが組み込まれており、そのモータの駆動力をもって当該ロータ部とともに前記探触子が回転駆動される。（ｄ）前記走査部の外面は、先端部が略半球形状をしたキャップによって覆われていて、その空間には低粘性のオイルが満たされている。（ｅ）前記把持部は、超音波送受信部と、モータ制御回路と、超音波受信信号転送用のインターフェースとを備える。（ｆ）前記超音波送受信部は、送受切替回路と、受信回路と、送信回路とで構成されている。（ｇ）前記超音波受信信号転送用のインターフェースは、Ａ／Ｄコンバータと、Ｉ／Ｆ回路とで構成されている。（ｈ）前記送信回路は、前記探触子を駆動するためのパルスを発生させる回路で、パルス発生回路と、トリガ回路とで構成されている。（ｉ）前記トリガ回路は、前記モータの回転に同期してトリガ信号を生成する。（ｊ）前記パルス発生回路は、前記トリガ回路からのトリガ信号に応答してパルスを生成し、そのパルスが前記送受切替部を経由して前記探触子に供給される。（ｋ）前記モータは、前記モータ制御回路によって制御されて、前記探触子を所定の速度で回転させる。（ｌ）前記送受切替回路は、前記探触子と前記受信回路又は前記送信回路との間で信号の授受を行うために信号経路を切り替える。（ｍ）前記受信回路は、受信した反射信号を増幅するプリアンプと、このプリアンプにより増幅された信号を対数変換するログアンプと、当該信号の包絡線検波を行う検波回路とを含んでいる。（ｎ）前記Ａ／Ｄコンバータは、前記検波回路により検波されたアナログ信号をデジタル信号に変換する。（ｏ）前記Ｉ／Ｆ回路は、Ａ／Ｄコンバータにより変換されたデジタル信号を出力する。（ｐ）前記探触子は、前記送信回路から供給されたパルスによって駆動し、外部に向けて超音波を発信する。
　　 
２　引用刊行物およびその記載事項　 
　本願優先日前に頒布された刊行物１〜５およびその記載事項は、上記「第２　２」に記載したとおりである。　 
　　 
３　当審の判断　 
　本願発明は、補正発明の「
ＵＳＢ規格の
ＵＳＢ規格の
とともに、電力の供給を受けることができる。
とともに、電力の供給を受けることができる。
　そうすると、本願発明の構成要件を全て含み、更に他の要件を付加したものに相当する補正発明が、上記「第２　３」において検討したとおり、引用発明および刊行物２〜４記載の事項に基づいて、当業者が容易に発明をすることができたものであるから、本願発明も、同様の理由により、引用発明および刊行物２〜４記載の事項に基づいて当業者が容易に発明をすることができたものであるというべきである。　 
　
　なお，請求人は，回答書において「本願発明は、超音波プローブユニットのケース内に、（ｂ）乃至（ｐ）の構成すべてを内蔵する点に特徴があるのです。そして、このように構成したことにより、本願発明は、汎用のパソコン等を利用して、用途に応じて種々の形態をした超音波診断装置を構成することができ、携帯性と汎用性に優れた作用効果を奏します。」と主張するが、引用発明は体装置の回路構成を小規模にすることにより、検者が聴診器がわりに持ち運びのできる、ハンディータイプの本体装置を含む超音波診断装置を提供することを目的としており、ハンディーさを追及すると、必要な構成を超音波検査において必須の超音波プローブユニットに相当する超音波探触子のみに内蔵する形態となることは当業者が当然に考えることであるので、請求人の主張は採用できない。　 
　　 
第４　まとめ　 
　以上のとおり、本願発明は、引用発明および刊行物２〜４記載の事項に基づいて当業者が容易に発明をすることができたものであるから、特許法第２９条第２項の規定により特許を受けることができない。　 
　したがって、その他の請求項について言及するまでもなく、本願出願は拒絶されるべきものである。　 
　よって、結論のとおり審決する。